(57)【要約】【課題】ユーザに不快感を与えることを抑制しつつ、置き忘れを報知することが可能な置き忘れ報知装置を提供すること。【解決手段】充電機能部３３は、所定の置き場にスマートフォン２が置かれているか否かを検知する。制御回路３２は、乗員が車両から降りることを検知する。制御回路３２は、充電機能部３３によりスマートフォン２が検知されつつ当該制御回路３２自らが降車有りを検知したことを条件に、置き忘れ有りを検知する。制御回路３２は、置き忘れ有りを検知したとき、ＮＦＣ機能部３４による通信機能を用いて、特定のコマンドを送信する。スマートフォン２には、特定のアプリケーションソフトがインストールされている。このアプリケーションソフトは上記コマンドを受けて起動される。その結果、音楽や光の演出により置き忘れが報知される。【選択図】図１
2014060674.tif 000002
【特許請求の範囲】
【請求項１】
対象物が置き忘れられている場合に置き忘れを報知する置き忘れ報知装置において、
所定の置き場に対象物が置かれているか否かを検知する対象物検知手段と、
乗員が車両から降りることを検知する降車検知手段と、
前記対象物検知手段により対象物有りが検知されつつ前記降車検知手段により降車有りが検知されたことを条件に、置き忘れ有りを検知する置き忘れ検知手段と、
前記置き忘れ検知手段により置き忘れ有りが検知されたときの報知態様を設定する設定手段と、
前記置き忘れ検知手段により置き忘れ有りが検知されたことを契機に、前記設定手段により設定された報知態様で置き忘れを報知する報知手段とを備える
ことを特徴とする置き忘れ報知装置。
【請求項２】
前記対象物が前記所定の置き場に置かれることで当該対象物と車両との間で通信が可能になり、この対象物には、前記通信による車両からのコマンドを受けて置き忘れを報知する前記報知手段が設けられている
請求項１に記載の置き忘れ報知装置。
【請求項３】
前記対象物は、前記車両からのコマンドを受けて置き忘れ報知機能を発揮するために起動される特定のアプリケーションソフトが組み込まれた多機能型携帯電話である
請求項２に記載の置き忘れ報知装置。
【発明の詳細な説明】
【技術分野】
【０００１】
本発明は、対象物が置き忘れられている場合に置き忘れを報知する置き忘れ報知装置に関する。
【背景技術】
【０００２】
特許文献１には、充電対象となる電気器具と充電器との双方にコイルを設け、コイル間の電磁誘導を利用しつつ非接触で電気器具を充電する技術が開示されている。この技術によると、充電器の箱体内に電気器具を収納することによって、蓄電池に対する充電が行われる。そして、この技術を用いれば、近年急速に普及しているスマートフォンと呼ばれる多機能型携帯電話を車内で充電することも可能となる。
【０００３】
ところで、車載非接触充電器にてスマートフォンを充電する場合、充電中のスマートフォンがドライバの目に触れないように設計する傾向がある。例えば、特許文献１の技術を援用すると、スマートフォンを箱体に収納した後、蓋体を閉めることで当該スマートフォンはドライバから視認不能となる。そうすることでドライバはスマートフォンの充電中にも運転に専念できるようになる。
【先行技術文献】
【特許文献】
【０００４】
【特許文献１】特開平４−３１７５２７号公報（［図１］）
【発明の概要】
【発明が解決しようとする課題】
【０００５】
しかしながら、スマートフォンを車内に置き忘れたまま降車する可能性がある。そこで、置き忘れを報知すれば好適となるが、一般的なブザーによる報知ではユーザに不快感を与えることが懸念される。
【０００６】
本発明は、このような問題点に着目してなされたものであって、その目的は、ユーザに不快感を与えることを抑制しつつ、置き忘れを報知することが可能な置き忘れ報知装置を提供することにある。
【課題を解決するための手段】
【０００７】
上記の目的を達成するために、請求項１に記載の発明は、対象物が置き忘れられている場合に置き忘れを報知する置き忘れ報知装置において、所定の置き場に対象物が置かれているか否かを検知する対象物検知手段と、乗員が車両から降りることを検知する降車検知手段と、前記対象物検知手段により対象物有りが検知されつつ前記降車検知手段により降車有りが検知されたことを条件に、置き忘れ有りを検知する置き忘れ検知手段と、前記置き忘れ検知手段により置き忘れ有りが検知されたときの報知態様を設定する設定手段と、前記置き忘れ検知手段により置き忘れ有りが検知されたことを契機に、前記設定手段により設定された報知態様で置き忘れを報知する報知手段とを備えることをその要旨としている。
【０００８】
同構成によると、ユーザの好みに応じて報知態様を設定することが可能となる。したがって、ユーザに不快感を与えることを抑制しつつ、置き忘れを報知することができる。
請求項２に記載の発明は、請求項１に記載の置き忘れ報知装置において、前記対象物が前記所定の置き場に置かれることで当該対象物と車両との間で通信が可能になり、この対象物には、前記通信による車両からのコマンドを受けて置き忘れを報知する前記報知手段が設けられていることをその要旨としている。
【０００９】
同構成によると、報知手段が対象物に設けられることに伴い、車両側のコスト削減や省スペース化に貢献することができる。
請求項３に記載の発明は、請求項２に記載の置き忘れ報知装置において、前記対象物は、前記車両からのコマンドを受けて置き忘れ報知機能を発揮するために起動される特定のアプリケーションソフトが組み込まれた多機能型携帯電話であることをその要旨としている。
【００１０】
同構成によると、車両からのコマンドを受けて特定のアプリケーションソフトが起動されることで、そのソフトによって規定される報知態様に倣い、例えば音楽が流れる或いは画面が明るく発光する等の種々の置き忘れ報知機能を実現することができる。
【発明の効果】
【００１１】
本発明によれば、ユーザに不快感を与えることを抑制しつつ、置き忘れを報知することができる。
【図面の簡単な説明】
【００１２】
【図１】置き忘れ報知装置の一例である充電システムの構成を示すブロック図。
【図２】置き忘れ報知装置の作用を示すフローチャート。
【発明を実施するための形態】
【００１３】
以下、本発明に係る置き忘れ報知装置をスマートフォンの充電システムに具体化した一実施の形態について説明する。
図１に示すように、充電システム１は、充電対象となるスマートフォン２と、車内に設置された充電器３とを備えている。充電器３は、バッテリ電源を当該充電器３の構成要素に供給する電源回路３１と、充電やスマートフォン２との通信に関する制御を司る制御回路３２と、スマートフォン２を充電する充電機能部３３と、スマートフォン２との間で近距離無線通信（ＮＦＣ：Near Field Communication）を行うＮＦＣ機能部３４とを備えている。
【００１４】
バッテリ電源は電源回路３１を介して制御回路３２及び充電機能部３３及びＮＦＣ機能部３４に常時供給される。充電機能部３３は、バッテリ電源を受けて動作する近接センサを備え、この近接センサにより、所定の置き場に対象物が置かれているか否かを監視する。充電機能部３３は、コイルアンテナを備え、所定の置き場に対象物が置かれているとき、その対象物が、当該所定の置き場に置かれることで所期の目的（本例では充電）が達成される特定の対象物であるか否かを認証するために、コイルアンテナを通じて所定の置き場の周辺に電波を短時間連続的に発信する。所定の置き場に置かれている対象物がスマートフォン２であるとき、このスマートフォン２は、連続的に発信されてくる電波から電力を賄いつつ、当該スマートフォン２に設置される受電モジュールの制御ＩＣのメモリに記憶されたＩＤ（充電規格のバージョンや最大受電電力）を送信する。充電機能部３３は、充電規格に則ったＩＤを受信したとき、所定の置き場に置かれている対象物が、充電器３の充電規格に則ったスマートフォン２（特定の対象物）であると肯定判断する。
【００１５】
充電機能部３３は、所定の置き場に置かれている対象物が特定の対象物であると肯定判断したとき、この対象物（本例ではスマートフォン２）の充電を開始する。本例では、充電機能部３３のコイルアンテナとスマートフォン２のコイルアンテナとの間での電磁誘導が利用され、非接触でスマートフォン２の蓄電池が充電される。
【００１６】
充電機能部３３は、スマートフォン２の充電中には、充電状態の管理制御のためにスマートフォン２との間で通信を行い、この通信が成立しているとき、充電対象物が設置されている旨、認識する。充電機能部３３は、対象物有無の監視を当該通信で代用し、近接センサの動作を停止する。充電機能部３３は、上記通信が途絶されると、近接センサを再起動し、この近接センサによる検知信号に基づき対象物の有無を判断する。充電機能部３３は、充電対象物であるスマートフォン２が取り上げられたことを検出すると、それまで所定の置き場に置かれていた対象物が特定の対象物（スマートフォン２）であるとする先の認証での肯定判断をリセットする。この場合、充電機能部３３は、スマートフォン２の充電を停止するとともに、所定の置き場に対象物が置かれているか否かの監視段階に戻り、対象物有りを検出すると、対象物が特定の対象物であるか否かの認証を行い、特定の対象物であると肯定判断したことを条件に、その対象物（本例ではスマートフォン２）の充電を開始する。
【００１７】
制御回路３２は、ネットワークを介して、アクセサリ電源がＯＦＦであることを示すＡＣＣ  ＯＦＦ信号を取得すると、充電機能部３３による充電動作を停止する充電停止信号を出力する。充電機能部３３は、充電停止信号を取得すると、コイルアンテナに対する通電を停止することでスマートフォン２の充電を停止する。
【００１８】
制御回路３２は、ＣＡＮ（Controller Area Network ）或いはＬＩＮ等を介して、ドアの開閉状態を示すカーテシ信号を取得する。制御回路３２は、充電機能部３３による監視結果及び認証結果を取得しつつ充電のために所定の置き場に置かれたスマートフォン２が取り上げられないことを条件に、ＡＣＣ  ＯＦＦ信号及びドアが開になったことを示すカーテシ信号の取得により降車有りを検出したとき、スマートフォン２が所定の置き場に置き忘れられていることを検知する。制御回路３２は、置き忘れ有りを検知したとき、ＮＦＣ機能部３４による通信機能を用いて、通信相手であるスマートフォン２に対し、置き忘れ報知機能を発揮する特定のアプリケーションソフトを起動させるコマンドを送信する。
【００１９】
スマートフォン２は、ＮＦＣ機能部３４との間で数センチメートル程度の無線通信が可能であることに加え、インターネット等を通じて、その機種が搭載しているＯＳ（Operating System）に対応したアプリケーションソフトをダウンロードして追加できるようになっている。本例では、ユーザの選択した音楽を流すことで置き忘れ報知機能を発揮する特定のアプリケーションソフトが組み込まれている。したがって、充電器３からのコマンドを受けて当該アプリケーションソフトが起動されると、ユーザの選択した音楽が流れ、これによりユーザはスマートフォン２の置き忘れを把握できるようになる。尚、特定のアプリケーションソフトとして上記アプリケーションに代えて又は加えて、スマートフォン２の画面表示が一時的に明るく発光することで置き忘れ報知機能を発揮するアプリケーションソフトが組み込まれている場合には、充電器３からのコマンドを受けて光による演出がなされ、これにより置き忘れが把握されるようになる。こうした光による演出がなされるとき、蓋体によりスマートフォン２が視認不能に収納されている場合でも、蓋体を介した間接的な光を視認できるようになることでユーザは置き忘れを把握できることになる。
【００２０】
充電器３とスマートフォン２とのＮＦＣ通信では、上記コマンドの他に、ＣＡＮ等を通じて取得される車両情報（ハイブリッドモータ用のバッテリ残量やガソリン残量等）がユーザ操作等を契機に充電器３からスマートフォン２に送信され、この車両情報は、スマートフォン２のメモリ（記録手段）に記録される。したがって、車両情報をスマートフォン２で確認できるようになる。
【００２１】
次に、充電システム１による置き忘れ報知装置の作用について説明する。
図２に示すように、ステップＳ１において、充電器３によりスマートフォン２の置き忘れが検知されると、ステップＳ２において、充電器３によりＮＦＣ通信が実行される。このとき、ＮＦＣ機能部３４から特定のコマンドが送信される。そして、ステップＳ３において、スマートフォン２によりＮＦＣ通信による上記コマンドが受信されると、ステップＳ４において、スマートフォン２の報知アプリが起動される。その結果、音楽や光の演出により置き忘れが報知される。
【００２２】
本例の充電機能部３３は、所定の置き場にスマートフォン２が置かれているか否かを検知する「対象物検知手段」に相当する。制御回路３２は、乗員が車両から降りることを検知する「降車検知手段」に相当する。また、制御回路３２は、充電機能部３３によりスマートフォン２が検知されつつ当該制御回路３２自らが降車有りを検知したことを条件に、置き忘れ有りを検知する「置き忘れ検知手段」に相当する。そして、スマートフォン２について、置き忘れ報知機能を発揮する特定のアプリケーションソフトをインストールすることが、制御回路３２により置き忘れ有りが検知されたときの報知態様を設定する「設定手段」に相当する。また、スマートフォン２について、上記アプリケーションソフトが起動されることに伴う音楽や光の演出が、置き忘れを報知する「報知手段」に相当する。
【００２３】
以上説明したように、本実施の形態によれば、以下の効果を奏することができる。
（１）ユーザの好みに応じて音楽や光の演出による置き忘れの報知態様を設定することが可能となる。したがって、ユーザに不快感を与えることを抑制しつつ、置き忘れを報知することができる。
【００２４】
（２）置き忘れを報知する音楽や光の演出がスマートフォン２で行われることに伴い、車両側のコスト削減や省スペース化に貢献することができる。
（３）車両からのコマンドを受けてスマートフォン２の特定のアプリケーションソフトが起動されることで、そのソフトによって規定される報知態様に倣い、音楽が流れる或いは画面が明るく発光する等の種々の置き忘れ報知機能を実現することができる。
【００２５】
（４）蓄電池を充電するために所定の置き場に置かれたスマートフォン２が置き忘れられている場合に置き忘れを報知することができる。
（５）上記（４）に倣い、車両情報を取得するために所定の置き場に置かれたスマートフォン２が置き忘れられている場合に置き忘れを報知することができる。
【００２６】
尚、上記実施の形態は、次のように変更して具体化することも可能である。
・スマートフォン２による音楽や光の演出で置き忘れを報知する構成に代えて又は加えて、車両側に同様の報知手段が設けられる構成であってもよい。
【００２７】
・制御回路３２により降車有りが検出されることの条件から「ドアが開になったこと」を外し、「アクセサリ電源がＯＦＦになったこと」を単独で当該条件にしてもよい。この場合、ドアが開けられる前の段階、すなわちアクセサリ電源をＯＦＦにするための操作が行われた直後の段階、言い換えると、乗員が確実に車内に居る段階で置き忘れの報知がなされるため、スマートフォン２が置き忘れられていることを乗員に確実に知らせることができる。
【００２８】
・制御回路３２により降車有りが検出されることの条件に、アクセサリ電源がＯＦＦになったことが必ずしも含まれていなくてもよい。ドアが開になったことを単独で上記条件にしてもよい。この場合、乗員が車内から出ようとする瞬間に置き忘れの報知がなされるところ、当該報知を乗員に確実に知らせるために、上記実施の形態に倣い、音楽による報知を伴う構成が望ましい。
【００２９】
・静電センサ等の近接センサによりスマートフォン２を検知する構成に代えて又は加えて、充電機能部３３による電波ポーリングによりスマートフォン２を検知する構成を採用してもよい。電波ポーリングでは、所定の置き場に対象物が置かれているか否かを監視するために、コイルアンテナを通じて所定の置き場の周辺に電波が間欠的に発信される。コイルアンテナには、所定の置き場に金属物が置かれているときと置かれていないときとで互いに異なる共振周波数による電流が流れる。所定の置き場に金属物が置かれているときの共振周波数による電流がコイルアンテナに流れていることが検出されると、当該所定の置き場に金属物による対象物が置かれていると肯定判断される。このように肯定判断されると、次のフェーズで、その対象物が、当該所定の置き場に置かれることで所期の目的（例えば充電）が達成される特定の対象物であるか否かを認証するために、電波が短時間連続的に発信される。所定の置き場に置かれている対象物がスマートフォン２であるとき、このスマートフォン２は、連続的に発信されてくる電波から電力を賄いつつ、ＩＤ（充電規格のバージョンや最大受電電力）を送信する。充電規格に則ったＩＤが受信されると、所定の置き場に置かれている対象物が、充電器３の充電規格に則ったスマートフォン２（特定の対象物）であると肯定判断される。
【００３０】
・充電機能が割愛され、ＮＦＣ通信により車両情報を取得する目的で所定の置き場に置かれたスマートフォン２が置き忘れられている場合に置き忘れを報知する置き忘れ報知装置に具体化してもよい。
【００３１】
・スマートフォン２と車両ディスプレイをＷｉ−Ｆｉ接続する目的で所定の置き場に置かれたスマートフォン２が置き忘れられている場合に置き忘れを報知する置き忘れ報知装置に具体化してもよい。
【００３２】
・スマートフォン２と車載器をブルートゥース接続する目的で所定の置き場に置かれたスマートフォン２が置き忘れられている場合に置き忘れを報知する置き忘れ報知装置に具体化してもよい。
【００３３】
次に、上記実施の形態及び別例から把握できる技術的思想について記載する。
（イ）前記対象物が前記所定の置き場に置かれることで当該対象物と車両との間で通信が可能になり、この対象物には、前記通信により車両から取得した車両情報を記録する記録手段が設けられている請求項１〜３のいずれか一項に記載の置き忘れ報知装置。同構成によると、車両情報を取得するために所定の置き場に置かれた対象物が置き忘れられている場合に置き忘れを報知することができる。
【００３４】
（ロ）前記対象物には、前記所定の置き場に置かれることで充電される蓄電池が設けられている請求項１〜３、上記（イ）のいずれか一項に記載の置き忘れ報知装置。同構成によると、蓄電池を充電するために所定の置き場に置かれた対象物が置き忘れられている場合に置き忘れを報知することができる。
【００３５】
（ハ）前記対象物には、前記所定の置き場に置かれることで車両ディスプレイとの間でＷｉ−Ｆｉ接続される通信手段が設けられている請求項１〜３、上記（イ）、（ロ）のいずれか一項に記載の置き忘れ報知装置。同構成によると、Ｗｉ−Ｆｉ接続するために所定の置き場に置かれた対象物が置き忘れられている場合に置き忘れを報知することができる。
【００３６】
（ニ）前記対象物には、前記所定の置き場に置かれることで車載器との間でブルートゥース接続される通信手段が設けられている請求項１〜３、上記（イ）〜（ハ）のいずれか一項に記載の置き忘れ報知装置。同構成によると、ブルートゥース接続するために所定の置き場に置かれた対象物が置き忘れられている場合に置き忘れを報知することができる。
【符号の説明】
【００３７】
１…充電システム（置き忘れ報知装置）、２…スマートフォン（対象物、設定手段、報知手段）、３…充電器、３１…電源回路、３２…制御回路（降車検知手段、置き忘れ検知手段）、３３…充電機能部（対象物検知手段）、３４…ＮＦＣ機能部。
【図１】
2014060674.tif 000003
【図２】
2014060674.tif 000004